(57)【特許請求の範囲】
【請求項１】
天板と該天板を搭載する土台部とを有し、上記天板が水平となる水平姿勢と上記天板が起立する起立姿勢とに変更自在な折畳みテーブルにおいて、
上記土台部に対して固定されると共に上記天板に対して回動可能に取り付けられ、かつ上記水平姿勢において上記天板の裏面を支承する天板支承部を有する１又は複数の連結部材と、
上記土台部に対する上記天板の回動軸と平行な状態で少なくとも一つの上記連結部材に支持されたロックピンと、
上記天板に対して回動可能に取り付けられると共に上記ロックピンに係合可能な係合凹部を有するストッパー部材とを備え、
少なくとも上記水平姿勢と上記起立姿勢とにおいて上記ロックピンに上記ストッパー部材を係合してこれらの姿勢をロックできるように、上記ロックピンと上記係合凹部との少なくとも一方が２か所以上に設けてあり、
上記連結部材は、上記回動軸に垂直な、互いに固定された一対の側板部を有し、上記ロックピンは上記一対の側板部に両持ち状態で支持されており、
かつ、上記天板支承部は、上記一対の側板部の双方に形成されていることを特徴とする折畳みテーブル。
【請求項２】
請求項１に記載の折畳みテーブルにおいて、上記各側板部は、前後二個所に上記天板支承部を形成していることを特徴とする折畳みテーブル。
【請求項３】
請求項１又は２に記載の折畳みテーブルにおいて、上記ロックピンは、上記連結部材における２個所に配設されていることを特徴とする折畳みテーブル。
【請求項４】
請求項１〜３のいずれか一項に記載の折畳みテーブルにおいて、上記連結部材は、一枚の金属板を屈曲して一対の上記側板部を形成していることを特徴とする折畳みテーブル。
【請求項５】
請求項１〜４のいずれか一項に記載の折畳みテーブルにおいて、上記ストッパー部材は、一枚の平板状の金属板からなることを特徴とする折畳みテーブル。
【請求項６】
請求項１〜５のいずれか一項に記載の折畳みテーブルにおいて、上記ロックピンは、上記回動軸と平行な回転軸を中心に上記連結部材に対して回転可能に保持されていることを特徴とする折畳みテーブル。
【請求項７】
請求項１〜６のいずれか一項に記載の折畳みテーブルにおいて、上記連結部材は、上記折畳みテーブルの左右２個所に設けてあり、一方の上記連結部材が上記ロックピンを保持していることを特徴とする折畳みテーブル。
【請求項８】
請求項１〜７に記載の折畳みテーブルにおいて、上記土台部は、左右一対の脚部と、該脚部を互いに連結固定する横設部材とを有し、上記連結部材は、上記横設部材に固定されていることを特徴とする折畳みテーブル。
【請求項９】
請求項１〜８のいずれか一項に記載の折畳みテーブルにおいて、上記天板の裏面に固定された裏面固定部材を有し、該裏面固定部材に上記連結部材が回動可能に取り付けられていることを特徴とする折畳みテーブル。
【請求項１０】
請求項９に記載の折畳みテーブルにおいて、上記裏面固定部材は、上記折畳みテーブルの左右２個所に設けてあり、左右一対の上記裏面固定部材に両端部が固定された複数本の直線状の棒状体からなる棚部を有することを特徴とする折畳みテーブル。
【請求項１１】
請求項９又は１０に記載の折畳みテーブルにおいて、上記裏面固定部材は、上記折畳みテーブルの左右２個所に設けてあり、上記天板の前後方向にその長手方向を向けて配置した長尺部材であって、上記裏面固定部材の前後方向の中央部において左右の上記裏面固定部材を連結固定する中央架設部材を備えることを特徴とする折畳みテーブル。
【発明の詳細な説明】
【技術分野】
【０００１】
本発明は、天板が水平となる水平姿勢と天板が起立する起立姿勢とに変更自在な折畳みテーブルに関する。
【背景技術】
【０００２】
例えば会議室等において使用するテーブルとして、天板が水平となる水平姿勢と天板が起立する起立姿勢とに変更自在な折畳みテーブルがある（特許文献１等）。図１５に示すごとく、かかる折畳みテーブル９は、天板５を水平な水平姿勢Ｈにして使用される一方、使用しないときには、図１６に示すごとく、天板５を跳ね上げて起立させた起立姿勢Ｓにする。この起立姿勢Ｓとすることにより、保管時における保管スペースを縮小することができる。特に、複数の折畳みテーブル９を保管する際には、これらを水平方向に重ねて保管することにより、その保管スペースを大幅に縮小することができる。
【０００３】
このような折畳みテーブル９は、複数の脚部６１からなる土台部６に対して天板５が回動自在となっている一方で、水平姿勢Ｈと起立姿勢Ｓとのそれぞれにおいて、土台部６と天板５とが互いにロックされるよう構成されている。
特許文献１に記載の折畳みテーブル９は、図１７〜図１９に示すごとく、土台部６が天板５と連結する部分に、土台部６に固定された連結部材９２を有し、天板５には連結部材９２に係合するストッパー部材９４が回動可能に設けてある。そして、連結部材９２には複数の係合凹部９２１、９２２、９２３が形成されており、そのうちの一つの係合凹部９２１がストッパー部材９４に設けたロックピン９３に係合したとき、図１５、図１８に示すごとく、折畳みテーブル９は水平姿勢Ｈにロックされ、他の一つの係合凹部９２３がロックピン９３に係合したとき、図１６に示すごとく、折畳みテーブル９は起立姿勢Ｓにロックされる。
そして、上記連結部材９２には、水平姿勢Ｈにおいて天板５の裏面に当接して天板５を支承する当接受部９２４が形成されている。これにより、水平姿勢Ｈにおいては、天板５を連結部材９２によって支えている。
【先行技術文献】
【特許文献】
【０００４】
【特許文献１】特開２００９−１４８３６７号公報
【発明の概要】
【発明が解決しようとする課題】
【０００５】
天板５には、天板５の自重のみならず、天板５への載置物の重量や使用者の体重の一部が荷重として作用することもあり、天板５の耐荷重はより大きいことが好ましい。ところが、特許文献１に記載の折畳みテーブル９は、上述のように水平姿勢Ｈにおいて天板５を支える連結部材９２が、図１９に示すごとく、脚部６１に固定された一枚の板状体によって構成されている。
【０００６】
そのため、連結部材９２を構成する板状体の強度を充分に大きくしないと、天板５への荷重に対して充分な強度を得ることが困難となるおそれがある。その結果、板状体の厚みを厚くしたり、強度の高い材料を用いたりする必要があり、折畳みテーブル９の製造コストの上昇を招くおそれがある。
【０００７】
また、水平姿勢Ｈや起立姿勢Ｓにおいて、ストッパー部材９４によってこれらの姿勢をロックしたとき、このロック状態は、ストッパー部材９４に設けたロックピン９３と連結部材９２との係合と、連結部材９２と天板５の裏面との当接とによって実現するものである。しかし、ロックピン９３と連結部材９２との係合も、連結部材９２と天板５の裏面との当接も、それぞれ一点ずつ存在するだけである。すなわち、ロック状態は、２点支持によって実現されることとなるため、仮にストッパー部材９４を１個とすると、水平姿勢Ｈや起立姿勢Ｓが不安定となるおそれがある。それゆえ、図１７に示すごとく、左右二か所にストッパー部材９４を配置して、左右の両方でロックできるようにする必要がある。そのため、部品点数が増えてしまう。
【０００８】
さらに、操作性を考えれば、特に長尺の折畳みテーブル９においては、二つのストッパー部材９４を連動させる必要があるため、図１７に示すごとく、両者を連結する連動シャフト９５を設ける必要がある。ところが、折畳みテーブル９の左右にわたって配される必要のある連動シャフト９５は長尺となるため、操作時に捻じれが生じやすい。そうすると、二つのストッパー部材９４を連動させて、それぞれのロックピン９３を連結部材９２に同時に係合させたり解除したりする操作を円滑に行い難くなるおそれがある。
【０００９】
また、上記のごとく、ロックピン９３をストッパー部材９４に設けた構成の場合、ストッパー部材９４の回動軸が連結部材９２に対して正確に垂直となっていないと、連結部材９２との係合及び解除を円滑に行うことが困難となりやすい。特に、ストッパー部材９４は、天板５に対して回動可能に取り付けられるが、通常は、その操作性を確保するために多少の遊びを設けた状態で、取り付けられる。そのため、ストッパー部材９４の回動軸が連結部材９２に対して垂直となるように設計しておいても、実際にストッパー部材９４のロックピン９３を連結部材９２に係合させる際には、必ずしもストッパー部材９４の回動軸を連結部材９２に対して正確に垂直にできるとは限らず、若干斜めになることもある。その結果、水平姿勢Ｈと起立姿勢Ｓとの切り替えを円滑に行うことが困難となりやすいという問題もある。
【００１０】
本発明は、かかる問題点に鑑みてなされたもので、水平姿勢における耐荷重性に優れ、水平姿勢と起立姿勢との切り替えを円滑に行うことができ、低コスト化が容易な折畳みテーブルを提供しようとするものである。
【課題を解決するための手段】
【００１１】
本発明は、天板と該天板を搭載する土台部とを有し、上記天板が水平となる水平姿勢と上記天板が起立する起立姿勢とに変更自在な折畳みテーブルにおいて、
上記土台部に対して固定されると共に上記天板に対して回動可能に取り付けられ、かつ上記水平姿勢において上記天板の裏面を支承する天板支承部を有する１又は複数の連結部材と、
上記土台部に対する上記天板の回動軸と平行な状態で少なくとも一つの上記連結部材に支持されたロックピンと、
上記天板に対して回動可能に取り付けられると共に上記ロックピンに係合可能な係合凹部を有するストッパー部材とを備え、
少なくとも上記水平姿勢と上記起立姿勢とにおいて上記ロックピンに上記ストッパー部材を係合してこれらの姿勢をロックできるように、上記ロックピンと上記係合凹部との少なくとも一方が２か所以上に設けてあり、
上記連結部材は、上記回動軸に垂直な、互いに固定された一対の側板部を有し、上記ロックピンは上記一対の側板部に両持ち状態で支持されており、
かつ、上記天板支承部は、上記一対の側板部の双方に形成されていることを特徴とする折畳みテーブルにある（請求項１）。
【発明の効果】
【００１２】
上記折畳みテーブルは、上記連結部材と上記ロックピンと上記ストッパー部材とを備え、上記ロックピンと上記係合凹部との少なくとも一方が２か所以上に設けてある。これにより、上記水平姿勢と上記起立姿勢とにおいて、それぞれの姿勢をロックすることができる。そして、上記連結部材が上記天板支承部を有するため、水平姿勢において連結部材によって上記天板を支承することができる。すなわち、天板の自重や天板に作用する荷重を、上記連結部材が支えることとなる。
【００１３】
ここで、該連結部材は上記一対の側板部を有しており、上記天板支承部は上記一対の側板部の双方に形成されている。それゆえ、上記水平姿勢において、連結部材は、一対の側板部によって上記天板を支承することができる。そのため、その支持強度を充分に大きくすることができる。
そして、これに伴い、連結部材の板厚を特に大きくする必要もなくなり、あるいは連結部材の材料強度を特に高くする必要もなくなるため、製造コストを低減することができる。
【００１４】
また、水平姿勢や起立姿勢において、ストッパー部材によってロックしたとき、このロック状態は、ストッパー部材とロックピンとの係合と、連結部材と天板の裏面との（直接又は間接的な）当接とによって実現するものである。そして、連結部材が２枚の側板部を有するため、連結部材と天板の裏面との当接は少なくとも左右２点において行われる。すなわち、ロック状態は、ストッパー部材とロックピンとの係合と併せて３点支持以上によって実現されることとなり、安定したロック状態を実現することができる。
【００１５】
また、上記ロックピンは、一対の側板部に両持ち状態で支持されている。そのため、上記ストッパー部材をロックピンに係合したときに、その荷重を充分な強度で支えることができ、ロックピンや連結部材が変形するなどの不具合を防ぐことができる。
【００１６】
また、ロックピンをストッパー部材ではなく連結部材に設け、ストッパー部材には係合凹部を設けた構成としている。これにより、ストッパー部材の回動軸が多少傾いても、ロックピンに対してストッパー部材を円滑に係合又は解除しやすくなる。すなわち、逆にロックピンをストッパー部材に設け、連結部材に係合凹部を設けた構成とした場合、ストッパー部材の回動軸が連結部材に対して正確に垂直となっていないと、連結部材との係合及び解除を円滑に行うことが困難となりやすい。これに対して、本発明のように、ロックピンを連結部材に設け、ストッパー部材に係合凹部を設けた構成とすることによって、ストッパー部材の回動軸が連結部材に対して垂直な状態から多少のずれが生じても、ストッパー部材を円滑にロックピンに係合することは可能である。
その結果、水平姿勢と起立姿勢との切り替えを円滑に行いやすい。
【００１７】
以上のごとく、本発明によれば、水平姿勢における耐荷重性に優れ、水平姿勢と起立姿勢との切り替えを円滑に行うことができ、低コスト化が容易な折畳みテーブルを提供することができる。
【図面の簡単な説明】
【００１８】
【図１】実施例１における、折畳みテーブルの水平姿勢の側面図。
【図２】実施例１における、折畳みテーブルの起立姿勢の側面図。
【図３】実施例１における、折畳みテーブルの水平姿勢の正面図。
【図４】実施例１における、右側の連結部材周辺の正面図。
【図５】実施例１における、左側の連結部材周辺の正面図。
【図６】実施例１における、折畳みテーブル上部の水平姿勢の側面図。
【図７】実施例１における、折畳みテーブル上部の起立姿勢の側面図。
【図８】実施例１における、折畳みテーブル上部の中間姿勢の側面図。
【図９】実施例１における、連結部材の斜視図。
【図１０】実施例１における、一対の裏面固定部材とこれらを連結固定した中央架設部との平面図。
【図１１】実施例１における、一対の裏面固定部材とこれらに両端部を固定された棚部との底面図。
【図１２】実施例１における、一対の裏面固定部材とこれを連結固定した中央架設部との平面図。
【図１３】実施例２における、折畳みテーブルの水平姿勢の側面図。
【図１４】実施例２における、折畳みテーブルの水平姿勢の背面図。
【図１５】背景技術における、折畳みテーブルの水平姿勢の側面図。
【図１６】背景技術における、折畳みテーブルの起立姿勢の側面図。
【図１７】背景技術における、折畳みテーブルの水平姿勢の正面図。
【図１８】背景技術における、折畳みテーブル上部の水平姿勢の側面図。
【図１９】背景技術における、右側の連結部材周辺の正面図。
【発明を実施するための形態】
【００１９】
本発明において、上記各側板部は、前後二個所に上記天板支承部を形成していることが好ましい（請求項２）。
この場合には、上記水平姿勢において、上記連結部材が上記天板をより安定して支承することができる。すなわち、上記各側板部は、前後二個所に上記天板支承部を有することにより、天板の前後方向の傾斜をより確実に規制することができる。
【００２０】
なお、上記土台部に対する上記天板の回動軸に直交する水平方向を前後方向とし、上記回動軸に平行な方向を左右方向として説明する。また、上記天板及びこれに付随して回動する部材に関しては、上記水平姿勢にあるときの前後方向を、水平姿勢にないときも前後方向として説明する。
【００２１】
また、上記ロックピンは、上記連結部材における２個所に配設されていることが好ましい（請求項３）。
この場合には、上記水平姿勢と上記起立姿勢とにおいて上記土台部と上記天板とを確実にロックすることができる。また、連結部材の２個所にロックピンを配置する方が、ロックピンを１個にして係合凹部を２個形成することにより水平姿勢と起立姿勢とをロックできるようにする場合より、設計自由度を向上させることができる。
【００２２】
また、上記連結部材は、一枚の金属板を屈曲して一対の上記側板部を形成していることが好ましい（請求項４）。
この場合には、上記連結部材の強度を充分に確保することができると共に、部品点数の削減及び組立工数の低減を図ることができる。
【００２３】
また、上記ストッパー部材は、一枚の平板状の金属板からなることが好ましい（請求項５）。
この場合には、上述した「ストッパー部材の回動軸が多少傾いても、ロックピンに対してストッパー部材を円滑に係合又は解除しやすくなる」という効果をより発揮することができる。すなわち、上記ストッパー部材が一枚板の形状であることによって、ストッパー部材が多少傾いても、ストッパー部材と上記ロックピンとの当接状態の偏りが生じ難く、係合及び解除をより円滑に行うことができる。
また、上記ストッパー部材が一枚の平板状の金属板からなるため、部品点数を削減することができると共に、曲げ加工等を行う必要もなく製造工数を削減することができる。
【００２４】
また、上記ロックピンは、上記回動軸と平行な回転軸を中心に上記連結部材に対して回転可能に保持されていることが好ましい（請求項６）。
この場合には、上記ロックピンに上記連結部材を係合する際及び解除する際に、ロックピンが上記回転軸を中心に回転することができる。そのため、ロックピンへの上記ストッパー部材の係合、解除を円滑に行うことができ、上記水平姿勢と上記起立姿勢との切り替えを円滑に行うことができる。
【００２５】
また、上記連結部材は、上記折畳みテーブルの左右２個所に設けてあり、一方の上記連結部材が上記ロックピンを保持していることが好ましい（請求項７）。
この場合には、左右の２個所において天板を土台部に支持すると共に、一方の連結部材においてストッパー部材によって上記水平姿勢と上記起立姿勢とにロックすることができる。そのため、天板をより安定して支持することができると共に円滑に天板を回動させることができ、かつ上記水平姿勢と上記起立姿勢とにおけるロックおよび解除をより円滑に行うことができる。
【００２６】
上述のごとく、本発明の折畳みテーブルは、一対の側板部を有する連結部材とロックピンとストッパー部材とによって、安定したロック状態を実現することができるため、ストッパー部材を１個にしても、水平姿勢や起立姿勢を安定して維持することができる。それゆえ、必ずしも左右二か所にストッパー部材を配置して、左右の両方でロックできるようにする必要はなく、左右の一方のみにストッパー部材を設けることにより、部品点数を削減することができる。
【００２７】
また、上述したごとく、二つのストッパー部材を配置する場合には、特に長尺の折畳みテーブルにおいては、二つのストッパー部材を連動させる必要があるため、両者を連結する連動シャフトを設ける必要がある。ところが、この場合、連動シャフトの捻じれに起因して、二つのストッパー部材をそれぞれロックピンに同時に係合又は解除しにくくなるおそれがある。
しかし、左右の一方のみにストッパー部材を設ければ、これらの不具合の発生の余地をなくすことができ、水平姿勢と起立姿勢との変更を円滑に行うことができる。
【００２８】
また、上記土台部は、左右一対の脚部と、該脚部を互いに連結固定する横設部材とを有し、上記連結部材は、上記横設部材に固定されていることが好ましい（請求項８）。
この場合には、上記土台部の強度を効果的に向上させると共に、上記天板を回動させる際に上記脚部と上記天板との干渉を容易に回避することができる。
【００２９】
また、上記天板の裏面に固定された裏面固定部材を有し、該裏面固定部材に上記連結部材が回動可能に取り付けられていることが好ましい（請求項９）。
この場合には、上記連結部材を、容易に上記天板に対して回動可能に取り付けることができる。
【００３０】
また、上記裏面固定部材は、上記折畳みテーブルの左右２個所に設けてあり、左右一対の上記裏面固定部材に両端部が固定された複数本の直線状の棒状体からなる棚部を有することが好ましい（請求項１０）。
この場合には、上記棚部を容易に形成することができる。すなわち、上記棚部は、複数本の直線状の棒状体からなり、これらの棒状体を上記一対の裏面固定部材に固定するだけで、棚部を形成することができる。そのため、棒状体を曲げ加工する必要もなければ、棚部と裏面固定部材との間に他の部材を介在させる必要もないため、部品点数を少なくすることができる。
また、直線状の棒状体の両端部を一対の裏面固定部材に固定することにより、棚部（棒状体）が補強材の役割を果たすこととなり、折畳みテーブルの強度を向上させることができる。
さらに、棚部に複数本の直線状の棒状体を用いることによって、棚部の左右全体にわたって、棚部の載置面を水平に形成することができ、書類等を収納しやすくなる。
【００３１】
また、上記裏面固定部材は、上記折畳みテーブルの左右２個所に設けてあり、上記天板の前後方向にその長手方向を向けて配置した長尺部材であって、上記裏面固定部材の前後方向の中央部において左右の上記裏面固定部材を連結固定する中央架設部材を備えることが好ましい（請求項１１）。
この場合には、一対の上記裏面固定部材の相対的な位置関係を効果的に固定することができ、折畳みテーブルの強度を効果的に向上させることができる。特に、上記裏面固定部材の前後方向の中央部において左右の上記裏面固定部材を連結固定することにより、裏面固定部材の端部において固定するよりも、中央架設部材と裏面固定部材との接合部に大きな力がかかり難いため、一対の裏面固定部材を安定して固定することができる。
また、上記中央架設部材を設けることによって、裏面固定部材の前後両端に架設部材を設ける必要がないため、天板の前後部分において、裏面側のスペースを大きくすることができる。
【実施例】
【００３２】
（実施例１）
本発明の実施例にかかる折畳みテーブルにつき、図１〜図１２を用いて説明する。
本例においては、会議室等において使用される左右方向に長い会議机としての折畳みテーブル１について説明する。この折畳みテーブル１は、通常、使用者が折畳みテーブル１における前後方向の一方に座って使用されるものであるため、折畳みテーブル１における使用者側を後方、その反対側を前方とし、この使用者を基準に左方及び右方を定義して説明する。
【００３３】
本例の折畳みテーブル１は、図１〜図３に示すごとく、天板５と該天板５を搭載する土台部６とを有する。そして、天板５が水平となる水平姿勢Ｈ（図１）と天板５が起立する起立姿勢Ｓ（図２）とに変更自在となっている。
【００３４】
上記折畳みテーブル１は、土台部６に対して固定されると共に天板５に対して回動可能に取り付けられた左右２個の連結部材２を有する。各連結部材２は、図４〜図６に示すごとく、水平姿勢Ｈにおいて天板５の裏面を支承する天板支承部２１を有する。
一方（右側）の連結部材２には、図４、図６〜図８に示すごとく、土台部６に対する天板５の回動軸（第１支持ピン５２１）と平行な状態でロックピン３が支持されている。
また、折畳みテーブル１は、天板５に対して回動可能に取り付けられると共にロックピン３に係合可能な係合凹部４１を有するストッパー部材４を備えている。
【００３５】
少なくとも水平姿勢Ｈと起立姿勢Ｓとにおいてロックピン３にストッパー部材４を係合してこれらの姿勢をロックできるように、図６〜図９に示すごとく、ロックピン３（３１、３２）は連結部材２における２か所に設けてある。
連結部材２は、図９に示すごとく、回動軸に垂直な、互いに固定された一対の側板部２２を有する。図４、図６に示すごとく、ロックピン３は一対の側板部２２に両持ち状態で支持されている。
【００３６】
そして、図４、図５、図９に示すごとく、天板支承部２１は、上記一対の側板部２２の双方に形成されている。また、各側板部２２は、前後二個所に天板支承部２１を形成している。すなわち、連結部材２は、前後左右の４個所に天板支承部２１を有し、これら４個の天板支承部２１は同一平面上に形成されている。
また、一対の側板部２２における前端部分には、図７に示すように起立姿勢Ｓにおいて天板５の裏面を支承する前方支承部２５を有する。
【００３７】
図３に示すごとく、連結部材２は、折畳みテーブル１の左右２個所に設けてあり、一方の連結部材２がロックピン３を保持している。
土台部６は、左右一対の脚部６１と、該脚部６１を互いに連結固定する横設部材６２とを有する。そして、連結部材２は横設部材６２に固定されている。
【００３８】
横設部材６２は、左右に長尺であると共に断面略長方形の角パイプ状の金属部材である。この横設部材６２は、その両端において左右の脚部６１に溶接固定されている。また、左右の脚部６１の内側において、一対の連結部材２が横設部材６２に溶接固定されている。連結部材２は、図９に示すごとく、略矩形状の嵌合凹部２４を有しており、該嵌合凹部２４に横設部材６２を嵌合させるように配置した状態（図６参照）で、横設部材６２の３つの面に溶接されている。
【００３９】
脚部６１の下端部は、図１に示すごとく、前後方向に延びたベース部材６３に固定され、該ベース部材６３の下面には、２個のキャスター６４が前後に２個配設されている。ま脚部６１は、ベース部材６３に対して傾斜しており、上端部が下端部よりも後方に位置している。また脚部６１の下端部はベース部材６３の前端部付近に固定されている。
また、脚部６１の上端部における後面側には、ゴム製又は樹脂製の緩衝材６５が取り付けられている。この緩衝材６５は、折畳みテーブル１を起立姿勢Ｓにして前後方向に複数台重ね合わせて収納する際に、他方の折畳みテーブル１の天板５の上面に当接することにより、天板５の上面に損傷を与えることを防ぐものである。
【００４０】
また、天板５の裏面に裏面固定部材５１が固定されており、該裏面固定部材５１に連結部材２が回動可能に取り付けられている。裏面固定部材５１は、図１、図１０に示すごとく、天板５の前後方向にその長手方向を向けて配置した長尺部材である。そして、図４、図５に示すごとく、裏面固定部材５１は、天板５の裏面に当接して固定される天井板部５１１と、該天井板部５１１の左右端部から下方へ垂下する一対の垂下板部５１２、５１３とを有する。
一対の垂下板部５１２、５１３は、図１２に示すごとく、中央部分において他の部分よりも更に下方まで垂下した中央垂下部５１４、５１５を有する。
【００４１】
この裏面固定部材５１における天井板部５１１と一対の垂下板部５１２、５１３との間の空間に、図４、図５に示すごとく、連結部材２の一部が配置されている。そして、一対の垂下板部５１２、５１３には、連結部材２を回動可能に支持する第１支持ピン５２１と、ストッパー部材４を回動可能に支持する第２支持ピン５２２とが、両持ち状態で支持されている。
また、水平姿勢Ｈにおいては、連結部材２の天板支承部２１が裏面固定部材５１の天井板部５１１の下面に当接する。
【００４２】
図９に示すごとく、連結部材２は、一枚の金属板を屈曲して一対の側板部２２を形成している。すなわち、一枚の金属板を所定の外形に切断したうえで、断面略コ字状に曲げ加工してある。これにより、互いに平行な一対の側板部２２とこれらを連結する背板部２３とによって、連結部材２が構成される。
【００４３】
一方、図４に示すごとく、ストッパー部材４は、一枚の平板状の金属板からなる。図６〜図８に示すごとく、ストッパー部材４は、２個所に係合凹部４１（４１１、４１２）を有している。ストッパー部材４は、側方（ストッパー部材４の主面に対する法線方向）から見たときの全体形状が略Ｌ字状になっており、その屈曲部付近において第２支持ピン５２２によって支持されている。この屈曲部を挟んで一方側に上記２個の係合凹部４１（４１１、４１２）が形成され、他方側にハンドル部４２が形成されている。ハンドル部４２の先端は樹脂性の把手部４２１に覆われている。
【００４４】
また、ストッパー部材４は、図示しないバネ部材によって、係合凹部４１の開口側へ向かうように第２支持ピン５２２を中心に回動する方向へ付勢されている。
また、ロックピン３は、土台部６に対する天板５の回動軸（第１支持ピン５２１）と平行な回転軸を中心に連結部材２に対して回転可能に保持されている。
【００４５】
図１１に示すごとく、裏面固定部材５１は、折畳みテーブル１の左右２個所に設けてある。そして、折畳みテーブル１は、左右一対の裏面固定部材５１に両端部が固定された３本の直線状の棒状体５３１からなる棚部５３を有する。
棒状体５３１の左右両端部は、裏面固定部材５１における一方の垂下板部５１２の中央垂下部５１４の下端部に溶接固定されている。図４、図５、図１２に示すごとく、棒状体５３１が固定されていない中央垂下部５１５は、棒状体５３１が固定された中央垂下部５１４よりも下方へ垂下しており、棒状体５３１の下面よりもさらに下方へ垂下している。
また、棚部５３を構成する３本の棒状体５３１は、左右の中央部において、下面側に溶接された補強部材５３２によって互いに連結固定されている。
【００４６】
また、図１０に示すごとく、折畳みテーブル１は、裏面固定部材５１の前後方向の中央部において左右の裏面固定部材５１を連結固定する中央架設部材５４を備えている。中央架設部材５４は、左右に長尺であると共に断面略長方形の角パイプ状の金属部材である。この中央架設部材５４は、その両端において左右の裏面固定部材５１に溶接固定されている。
また、中央架設部材５４の上面は、裏面固定部材５１の上面と同一平面上に形成され、これらは天板５の裏面に当接している。
【００４７】
次に、水平姿勢Ｈと起立姿勢Ｓとの切り替え作業について説明する。
まず、折畳みテーブル１の使用時には、折畳みテーブル１は、図１、図６に示す水平姿勢Ｈにある。この状態においては、天板５は連結部材２の天板支承部２１の上に水平に配置されている。そして、ストッパー部材４は、２個の係合凹部４１のうち、先端側に形成された係合凹部４１１を、連結部材２の２個のロックピン３のうち下方に配置されたロックピン３１に係合させている。そして、上記バネ部材によって、ストッパー部材４はロックピン３１に向って付勢されているため、この係合状態は保持されている。
【００４８】
この水平姿勢Ｈから、起立姿勢Ｓへ切り替える際には、まずストッパー部材４をロックピン３１から解除する必要がある。そこで、使用者が、上記バネ部材の付勢力に抗して、ストッパー部材４のハンドル部４２における把手部４２１を上方へ押し上げる。これにより、ストッパー部材４は、第２支持ピン５２２を中心に回動して、係合凹部４１１がロックピン３１から解除される。このとき、係合凹部４１１の内周端とロックピン３１との間に接触抵抗があるが、ロックピン３１が裏面固定部材５１に対して回転（自転）することによって、円滑にストッパー部材４がロックピン３１から解除される。
【００４９】
バネ部材の付勢力に抗してストッパー部材４をロックピン３１から解除した状態を維持しながら、天板５を前方へ跳ね上げるようにして、土台部６に対して天板５を、第１支持ピン５２１を中心にして回動させる。これにより、折畳みテーブル１を、図２、図７に示す起立姿勢Ｓにする。このとき、天板５の裏面に設けた裏面固定部材５１の天井板部５１１が連結部材２の前方支承部２５に当接させる。また、天板５は脚部６１と平行となる。
【００５０】
そして、ストッパー部材４を上記バネ部材の付勢方向へ回動させ、先端側の係合凹部４１１を、連結部材２に設けた２個のロックピン３のうち上方に配置されたロックピン３２に係合させる。このときも、係合凹部４１１の内周端とロックピン３２との間に接触抵抗があるが、ロックピン３１が裏面固定部材５１に対して回転（自転）することによって、円滑にストッパー部材４がロックピン３２に係合される。そして、上記バネ部材によって、ストッパー部材４がロックピン３２に向って付勢されているため、この係合状態は保持される。
【００５１】
反対に、起立姿勢Ｓから水平姿勢Ｈへ切り替える場合には、上記と逆の操作をすることとなる。
また、水平姿勢Ｈから起立姿勢Ｓへ切り替える際、あるいは起立姿勢Ｓから水平姿勢Ｈへ切り替える際、その途中の中間姿勢Ｍ（図８）において一旦、土台部６と天板５とをロックすることもできる。
【００５２】
すなわち、図８に示すごとく、天板５を水平姿勢Ｈと起立姿勢Ｓとの中間の角度位置において静止させる。このとき、ストッパー部材４に設けた２個の係合凹部４１のうち、第２支持ピン５２２に近い側の係合凹部４１２を、連結部材２の上側のロックピン３２に係合させる。
この中間姿勢Ｍにおいてもロックできるようにすることで、水平姿勢Ｈから起立姿勢Ｓへ、あるいは起立姿勢Ｓから水平姿勢Ｈへ、一気に天板５が回動することを防いで、折畳みテーブル１への衝撃を抑制することができる。
【００５３】
なお、水平姿勢Ｈと中間姿勢Ｍとの間、及び中間姿勢Ｍと起立姿勢Ｓとの間の状態においても、ストッパー部材４における２つの係合凹部４１以外の前端面４３を、２つのロックピン３（３１、３２）のいずれかに当接させながら、天板５を回動させることができる。すなわち、係合凹部４１をロックピン３（３１、３２）から解除するときのみハンドル部４２によって強制的にストッパー部材４を回動させ、その後、天板５を少し回動させた時点でハンドル部４２を離すことにより、バネ部材による付勢力によってストッパー部材４は、前端面４３が適度な押圧力でロックピン３に当接する。この状態で天板５を回動させることにより、ロックピン３が自転しながらストッパー部材４の前端面４３に沿って相対的に移動し、何れかの係合凹部４１へ係合されることにより、水平姿勢Ｈ、中間姿勢Ｍ、或いは起立姿勢Ｓにてロックされる。
【００５４】
次に、本例の作用効果につき説明する。
上記折畳みテーブル１は、連結部材２とロックピン３とストッパー部材４とを備え、ロックピン３が２か所に設けてある。これにより、水平姿勢Ｈと起立姿勢Ｓとにおいて、それぞれの姿勢をロックすることができる。そして、連結部材２が天板支承部２１を有するため、図４〜図６に示すごとく、水平姿勢Ｈにおいて連結部材２によって天板５を支承することができる。すなわち、天板５の自重や天板５に作用する荷重を、連結部材２が支えることとなる。
【００５５】
ここで、連結部材２は一対の側板部２２を有しており、天板支承部２１は一対の側板部２２の双方に形成されている。それゆえ、水平姿勢Ｈにおいて、連結部材２は、一対の側板部２２によって天板５を支承することができる。そのため、その支持強度を充分に大きくすることができる。
そして、これに伴い、連結部材２の板厚を特に大きくする必要もなくなり、あるいは連結部材２の材料強度を特に高くする必要もなくなるため、製造コストを低減することができる。
【００５６】
また、水平姿勢Ｈや起立姿勢Ｓにおいて、ストッパー部材４によってロックしたとき、このロック状態は、ストッパー部材４とロックピン３との係合と、連結部材２と天板５の裏面（裏面固定部材５１の天井板部５１１）との当接とによって実現するものである。そして、連結部材２が２枚の側板部２２を有するため、連結部材２と天板５の裏面との当接は少なくとも左右２点（水平姿勢Ｈにおいては前後左右４点、起立姿勢Ｓにおいては左右２点）において行われる。すなわち、ロック状態は、ストッパー部材４とロックピン３との係合と合わせて３点支持以上（水平姿勢Ｈにおいては５点支持、起立姿勢Ｓにおいては３点支持）によって実現されることとなり、安定したロック状態を実現することができる。
【００５７】
また、ロックピン３は、一対の側板部２２に両持ち状態で支持されている。そのため、ストッパー部材４をロックピン３に係合したときに、その荷重を充分な強度で支えることができ、ロックピン３や連結部材２が変形するなどの不具合を防ぐことができる。
【００５８】
また、ロックピン３をストッパー部材４ではなく連結部材２に設け、ストッパー部材４には係合凹部４１を設けた構成としている。これにより、ストッパー部材４の回動軸が多少傾いても、ロックピン３に対してストッパー部材４を円滑に係合又は解除しやすくなる。すなわち、逆にロックピンをストッパー部材に設け、連結部材に係合凹部を設けた構成とした場合、ストッパー部材の回動軸が連結部材に対して正確に垂直となっていないと、連結部材との係合及び解除を円滑に行うことが困難となりやすい。これに対して、本発明のように、ロックピン３を連結部材２に設け、ストッパー部材４に係合凹部４１を設けた構成とすることによって、ストッパー部材４の回動軸が連結部材２に対して垂直な状態から多少のずれが生じても、ストッパー部材４を円滑にロックピン３に係合することは可能である。
その結果、水平姿勢Ｈと起立姿勢Ｓとの切り替えを円滑に行いやすい。
【００５９】
各側板部２２は、前後二個所に天板支承部２１を形成している。そのため、水平姿勢Ｈにおいて、連結部材２が天板５をより安定して支承することができる。すなわち、上記各側板部２２は、前後二個所に天板支承部２１を有することにより、天板５の前後方向の傾斜をより確実に規制することができる。
【００６０】
また、ロックピン３は、連結部材２における２個所に配設されている。そのため、水平姿勢Ｈと起立姿勢Ｓとにおいて土台部６と天板５とを確実にロックすることができる。また、連結部材２の２個所にロックピン３を配置する方が、ロックピンを１個にして係合凹部を２個形成することにより水平姿勢Ｈと起立姿勢Ｓとをロックできるようにする場合より、設計自由度を向上させることができる。
【００６１】
また、連結部材２は、一枚の金属板を屈曲して一対の側板部２２を形成している。これにより、連結部材２の強度を充分に確保することができると共に、部品点数の削減及び組立工数の低減を図ることができる。
【００６２】
また、ストッパー部材４は、一枚の平板状の金属板からなるため、上述した「ストッパー部材４が多少傾いても、ロックピン３に対してストッパー部材４を円滑に係合又は解除しやすくなる」という効果をより発揮することができる。すなわち、ストッパー部材４が一枚板の形状であることによって、ストッパー部材４の回動軸が多少傾いても、ストッパー部材４とロックピン３との当接状態の偏りが生じ難く、係合及び解除をより円滑に行うことができる。
また、ストッパー部材４が一枚の平板状の金属板からなるため、部品点数を削減することができると共に、曲げ加工等を行う必要もなく製造工数を削減することができる。
【００６３】
また、ロックピン３は連結部材２に対して回転可能に保持されている。これにより、ロックピン３に連結部材２を係合する際及び解除する際に、ロックピン３が回転軸を中心に回転することができる。そのため、ロックピン３へのストッパー部材４の係合、解除を円滑に行うことができ、水平姿勢Ｈと起立姿勢Ｓとの切り替えを円滑に行うことができる。
【００６４】
また、連結部材２は、折畳みテーブル１の左右２個所に設けてあり、一方の連結部材２がロックピン３を保持している。これにより、左右の２個所において天板５を土台部６に支持すると共に、一方の連結部材２においてストッパー部材４によって水平姿勢Ｈと起立姿勢Ｓとにロックすることができる。そのため、天板５をより安定して支持することができると共に円滑に天板５を回動させることができ、かつ水平姿勢Ｈと起立姿勢Ｓとにおけるロックおよび解除をより円滑に行うことができる。
【００６５】
上述のごとく、本発明の折畳みテーブル１は、一対の側板部２２を有する連結部材２とロックピン３とストッパー部材４とによって、安定したロック状態を実現することができるため、ストッパー部材４を１個にしても、水平姿勢Ｈや起立姿勢Ｓを安定して維持することができる。それゆえ、必ずしも左右二か所にストッパー部材４を配置して、左右の両方でロックできるようにする必要はなく、左右の一方のみにストッパー部材４を設けることにより、部品点数を削減することができる。
【００６６】
また、上述のごとく、二つのストッパー部材を配置する場合には、特に長尺の折畳みテーブルにおいては、二つのストッパー部材を連動させる必要があるため、両者を連結する連動シャフト（図１７における符号９５参照）を設ける必要がある。ところが、折畳みテーブルの左右にわたって配される必要のある連動シャフトは長尺となるため、操作時に捻じれが生じやすい。そうすると、二つのストッパー部材を連動させて、それぞれをロックピンに同時に係合または解除しにくくなるおそれがある。
しかし、左右の一方のみにストッパー部材を設ければ、これらの不具合の発生の余地をなくすことができ、水平姿勢Ｈと起立姿勢Ｓとの変更を円滑に行うことができる。
【００６７】
また、図３に示すごとく、土台部６は、左右一対の脚部６１と、該脚部６１を互いに連結固定する横設部材６２とを有し、連結部材２は横設部材６２に固定されている。そのため、土台部６の強度を効果的に向上させると共に、天板５を回動させる際に脚部６１と天板５との干渉を容易に回避することができる。
【００６８】
また、図３、図１１に示すごとく、折畳みテーブル１は、左右一対の裏面固定部材５１に両端部が固定された複数本の直線状の棒状体５３１からなる棚部５３を有する。この棚部５３は、容易に形成することができる。すなわち、棚部５３は、複数本の直線状の棒状体５３１からなり、これらの棒状体５３１を一対の裏面固定部材５１に固定するだけで、棚部５３を形成することができる。そのため、棒状体５３１を曲げ加工する必要もなければ、棚部５３と裏面固定部材５１との間に他の部材を介在させる必要もないため、部品点数を少なくすることができる。
【００６９】
また、直線状の棒状体５３１の両端部を一対の裏面固定部材５１に固定することにより、棚部５３（棒状体５３１）が補強材の役割を果たすこととなり、折畳みテーブル１の強度を向上させることができる。
さらに、棚部５３に複数本の直線状の棒状体５３１を用いることによって、棚部５３の左右全体にわたって、棚部５３の載置面を水平に形成することができ、書類等を収納しやすくなる。
【００７０】
また、図１０に示すごとく、折畳みテーブル１は中央架設部材５４を備えるため、一対の裏面固定部材５１の相対的な位置関係を効果的に固定することができ、折畳みテーブル１の強度を効果的に向上させることができる。特に、裏面固定部材５１の前後方向の中央部において左右の裏面固定部材５１を連結固定することにより、裏面固定部材５１の端部において固定するよりも、中央架設部材５４と裏面固定部材５１との接合部に大きな力がかかり難いため、一対の裏面固定部材５１を安定して固定することができる。
また、中央架設部材５４を設けることによって、裏面固定部材５１の前後両端に架設部材を設ける必要がないため、天板５の前後部分において、裏面側のスペースを大きくすることができる。
【００７１】
以上のごとく、本例によれば、水平姿勢における耐荷重性に優れ、水平姿勢と起立姿勢との切り替えを円滑に行うことができ、低コスト化が容易な折畳みテーブルを提供することができる。
【００７２】
（実施例２）
本例は、図１３、図１４に示すごとく、土台部６の前面に幕板１１を取り付けた折畳みテーブル１の例である。
幕板１１は、横設部材６２に固定されている。すなわち、横設部材６２に設けたボルト挿通穴６２１（図４、図５参照）にボルトを挿通すると共に、該ボルトを、幕板１１に裏面側から埋設した雌ネジ部にねじ込むことによって、幕板１１を横設部材６２に固定してある。ボルト挿通穴６２１は、連結部材２を固定した部位においてそれぞれ上下２個所ずつ設けてある。そして、連結部材２の背板部２３には、ボルト挿通穴６２１に開口する開口部２３１が形成されている（図４、図５参照）。
【００７３】
幕板１１は、脚部６１に平行な状態で一対の脚部６１の間に配設されている。
また、幕板１１は、図１４に示すごとく、略長方形状に形成されているが、上辺の左右の角部に、切欠部１１１を設けてある。この切欠部１１１を設けることにより、起立姿勢Ｓとしたときに、幕板１１が裏面固定部材５１の垂下板部５１３に干渉することを防いでいる。
その他は、実施例１と同様の構成を有し、同様の作用効果を奏することができる。
【符号の説明】
【００７４】
１  折畳みテーブル
２  連結部材
２１  天板支承部
２２  側板部
３、３１、３２  ロックピン
４  ストッパー部材
４１、４１１、４１２  係合凹部
５  天板
６  土台部
Ｈ  水平姿勢
Ｓ  起立姿勢
【図１】
0005489732.tif 000002
【図２】
0005489732.tif 000003
【図３】
0005489732.tif 000004
【図４】
0005489732.tif 000005
【図５】
0005489732.tif 000006
【図６】
0005489732.tif 000007
【図７】
0005489732.tif 000008
【図８】
0005489732.tif 000009
【図９】
0005489732.tif 000010
【図１０】
0005489732.tif 000011
【図１１】
0005489732.tif 000012
【図１２】
0005489732.tif 000013
【図１３】
0005489732.tif 000014
【図１４】
0005489732.tif 000015
【図１５】
0005489732.tif 000016
【図１６】
0005489732.tif 000017
【図１７】
0005489732.tif 000018
【図１８】
0005489732.tif 000019
【図１９】
0005489732.tif 000020